(57)【要約】【課題】  占有面積の小さな通信用キャビネット装置を提供すること。【解決手段】  外部から光通信線路または電気通信線路からなる導入通信線路が導入され、該導入通信線路に接続されるＶＤＳＬ装置５１、ＰＴ５２、ＯＮＵ５３及びメタルケーブル端子盤５４が収納され、前記導入通信線路からの信号をＶＤＳＬ装置５１、ＰＴ５２、ＯＮＵ５３及びメタルケーブル端子盤５４を介して各戸へ分配する導出通信線路がこれらから外部へ導出され、筐体本体１１と、前面パネルと、筐体本体１１を鉛直方向の壁面または水平方向の床面に設置する壁面設置穴２４Ａ及び床面設置穴２３Ａとを備えてなり、筐体本体１１には、ケーブル導入孔２３Ｂと、ＶＤＳＬ装置５１、ＰＴ５２、ＯＮＵ５３及びメタルケーブル端子盤５４を着脱自在に取り付けるＶＤＳＬ取付部２６及び木板２７とが備えてられていることを特徴とする。【選択図】  図３
2006059985.tif 000002
【特許請求の範囲】
【請求項１】
外部から光通信線路または電気通信線路からなる導入通信線路が導入され、該導入通信線路に接続される複数の通信機器が収納され、前記導入通信線路からの信号を前記複数の通信機器を介して各戸へ分配する導出通信線路が前記複数の通信機器から外部へ導出される通信用キャビネット装置であって、
前面が開口する箱状の筐体本体と、該筐体本体の開口部を閉塞する蓋体と、該蓋体が取り付けられた前記筐体本体を鉛直方向の壁面または水平方向の床面に設置する設置手段とを備えてなり、
前記筐体本体には、前記導入通信線路を導入する線路導入用孔と、前記導出通信線路を導出する線路導出用孔と、前記複数の通信機器を着脱自在に取り付ける通信機器取付部とが備えてられていることを特徴とする通信用キャビネット装置。
【請求項２】
前記筐体本体は、矩形に組み立てられる天板、左右の側板及び底板と、これら一方の開口部を閉塞する裏板とを供えてなり、
該筐体本体に、前記蓋体が着脱自在に取り付けられていることを特徴とする請求項１に記載の通信用キャビネット装置。
【請求項３】
前記線路導入用孔及び前記線路導出用孔には、ゴムシートが張設され、該ゴムシートを貫通して前記導入及び導出信線路が導入、導出されることを特徴とする請求項１または２に記載の通信用キャビネット装置。
【請求項４】
前記線路導入用孔あるいは前記線路導出用孔のどちらか一方または双方は、前記左右の側板と、前記底板とに形成されていることを特徴とする請求項２または３に記載の通信用キャビネット装置。
【請求項５】
前記裏板の内面側には、扁平な前記通信機器を前記裏板の内面に沿って支持する前記通信機器取付部が設けられ、
前記蓋体の下部及び上部と、前記天板の上部と、前記左右の側板とには、通風孔が形成されていることを特徴とする請求項２から４のいずれか１項に記載の通信用キャビネット装置。
【請求項６】
前記通信機器取付部は、前記通信機器の寸法に応じて該通信機器の取り付けを可能とする取付調整機構を有することを特徴とする請求項１から５のいずれか１項に記載の通信用キャビネット装置。
【請求項７】
前記取付調整機構は、前記通信機器側に固定されて雄ネジ挿通孔を有する固定板と、前記筐体本体側に固定されて前記通信機器の寸法に応じて選択可能な複数の取付孔を有する取付板と、該取付板に係合可能な係合部材と、該係合部材に支持された雌ネジ部材と、該雌ネジ部材に螺着可能な雄ネジ部材を備えてなり、
前記通信機器に固定された前記固定板の挿通孔が、雄ネジを挿通してこれを前記取付孔の任意のものに係合させた係合部材に支持されている雌ネジに螺合させて前記通信機器を取り付けるように構成されていることを特徴とする請求項６に記載の通信用キャビネット装置。
【請求項８】
前記筐体本体の前面に掲示板が設けられていることを特徴とする請求項１から７のいずれか１項に記載の通信用キャビネット装置。
【請求項９】
前記掲示板は、前記導入または導出通信線路と連携された表示部を有することを特徴とする請求項８に記載の通信用キャビネット装置。
【請求項１０】
前記掲示板は、無線通信と連携された表示部を有することを特徴とする請求項８に記載の通信用キャビネット装置。
【請求項１１】
前記表示部には、防犯用カメラからの映像が表示されることを特徴とする請求項９または１０に記載の通信用キャビネット装置。
【発明の詳細な説明】
【技術分野】
【０００１】
本発明は、例えば、ＶＤＳＬ（Very high-bit-rate Digital Subscriber Line：超高速デジタル加入者線）などの通信機器を内部に設置する通信用キャビネット装置に関する。
【背景技術】
【０００２】
近年、光ファイバやＣＡＴＶ（Community Antenna TeleVision）に代表される高速の通信回線を用いたブロードバンドサービスが普及している。これは、加入者宅に光ファイバケーブルを施設するＦＴＴＨ（Fiber To The Home）方式によって構築されており、このようなブロードバンドサービスに加入することで、高速、大容量のブロードバンドサービスによって放送、映画、音楽などを視聴することが可能となる。しかし、一般的に既存のマンションや集合住宅において、加入者宅へ光ファイバケーブルを新たに敷設するには、配管やスペース確保、工事面で困難が伴うため、経路の一部に光ファイバケーブルを用いて既存の電話回線またはＬＡＮ（Local Area Network）用メタル配線をそのまま使用することができるＶＤＳＬ方式を用いることが主流となりつつある。
これは、マンションや集合住宅の共用部分に、ＶＤＳＬ装置や光信号を電気信号に変換すると共に電気信号を光信号に変換するＯＮＵ（Optical Network Unit：光加入者終端装置）などの通信機器を備えたキャビネットを設置し、このキャビネットを介して光ファイバケーブルと既存の電話回線またはＬＡＮ用メタル配線とを接続するものである。
【発明の開示】
【発明が解決しようとする課題】
【０００３】
しかしながら上記従来の通信用キャビネット装置には、以下の課題が残されている。すなわち、ＶＤＳＬ装置やＯＮＵなどの通信機器は、一般的に１９インチラックを用いたキャビネット内に収納されており、マンションや集合住宅の共用部分によっては、このキャビネットを配置するスペースが不足するという問題がある。
【０００４】
本発明は、前述の課題に鑑みてなされたもので、占有面積の小さな通信用キャビネット装置を提供することを目的とする。
【課題を解決するための手段】
【０００５】
本発明は、前記課題を解決するために以下の構成を採用した。すなわち、本発明の通信用キャビネット装置は、外部から光通信線路または電気通信線路からなる導入通信線路が導入され、該導入通信線路に接続される複数の通信機器が収納され、前記導入通信線路からの信号を前記複数の通信機器を介して各戸へ分配する導出通信線路が前記複数の通信機器から外部へ導出される通信用キャビネット装置であって、前面が開口する箱状の筐体本体と、該筐体本体の開口部を閉塞する蓋体と、該蓋体が取り付けられた前記筐体本体を鉛直方向の壁面または水平方向の床面に設置する設置手段とを備えてなり、前記筐体本体には、前記導入通信線路を導入する線路導入用孔と、前記導出通信線路を導出する線路導出用孔と、前記複数の通信機器を着脱自在に取り付ける通信機器取付部とが備えてられていることを特徴とする。
【０００６】
この発明にかかる通信用キャビネット装置によれば、通信機器取付部によって複数の通信機器を着脱自在に取り付け、線路導入用孔及び線路導出用孔を介して各通信線路を筐体本体内部に設けられた複数の通信機器に接続している。そして、この筐体本体は、設置手段によって鉛直方向の壁面に設置することが可能となっている。これにより、筐体本体を配置するために必要なスペースが、縮小化される。
【０００７】
また、本発明にかかる通信用キャビネット装置は、前記筐体本体は、矩形に組み立てられる天板、左右の側板及び底板と、これら一方の開口部を閉塞する裏板とを供えてなり、該筐体本体に、前記蓋体が着脱自在に取り付けられていることが好ましい。
この発明にかかる通信用キャビネット装置によれば、筐体本体が、矩形に組み立てられており、この筐体本体の開口部に蓋体が着脱可能に取り付けられている。
【０００８】
また、本発明にかかる通信用キャビネット装置は、前記線路導入用孔及び前記線路導出用孔には、ゴムシートが張設され、該ゴムシートを貫通して前記導入及び導出通信線路が導入、導出されることが好ましい。
この発明にかかる通信用キャビネット装置によれば、線路導入用孔及び線路導出用孔が、各通信線路が貫通可能なゴムシートによって覆われていることで、線路導入用孔及び線路導出用孔から水などの液体や虫やゴミなどが侵入することを抑制する。
【０００９】
また、本発明にかかる通信用キャビネット装置は、前記線路導入用孔あるいは前記線路導出用孔のどちらか一方または双方は、前記左右の側板と、前記底板とに形成されていることが好ましい。
この発明にかかる通信用キャビネット装置によれば、線路導入用孔及び線路導出用孔が左右の側版と底板とに形成されていることによって、各通信線路の曲がりや通信線路の導入出位置に応じて複数設けられた線路導入用孔及び線路導出用孔の中から適宜選択して用いることができる。
【００１０】
また、本発明にかかる通信用キャビネット装置は、前記裏板の内面側には、扁平な前記通信機器を前記裏板の内面に沿って支持する前記通信機器取付部が設けられ、前記蓋体の下部及び上部と、前記天板の上部と、前記左右の側板とには、通風孔が形成されていることが好ましい。
この発明にかかる通信用キャビネット装置によれば、通信機器が通信機器取付部によって裏板の内面に沿って支持されているので、筐体本体の上下間でエアーフローが発生する。これにより、筐体本体及び蓋体に設けられた通風孔を介して筐体本体の内部で発生した熱を効率よく排気することができる。
【００１１】
また、本発明にかかる通信用キャビネット装置は、前記通信機器取付部は、前記通信機器の寸法に応じて該通信機器の取り付けを可能とする取付調整機構を有することが好ましい。
この発明にかかる通信用キャビネット装置によれば、寸法の異なる通信機器を取り付ける場合であっても、取り付け調整機構によって容易に通信機器を取り付けることができる。
【００１２】
また、本発明にかかる通信用キャビネット装置は、前記取付調整機構は、前記通信機器側に固定されて雄ネジ挿通孔を有する固定板と、前記筐体本体側に固定されて前記通信機器の寸法に応じて選択可能な複数の取付孔を有する取付板と、該取付板に係合可能な係合部材と、該係合部材に支持された雌ネジ部材と、該雌ネジ部材に螺着可能な雄ネジ部材を備えてなり、前記通信機器に固定された前記固定板の挿通孔が、雄ネジを挿通してこれを前記取付孔の任意のものに係合させた係合部材に支持されている雌ネジに螺合させて前記通信機器を取り付けるように構成されていることが好ましい。
この発明にかかる通信用キャビネット装置によれば、取付板に形成された取付孔に雌ネジ部材が支持された係合部材を係合し、通信機器に取り付けられた固定板の挿通孔に雄ネジ部材を螺着することによって通信機器が筐体本体に取り付けられる。ここで、取付孔が取付板に複数形成されていることによって、通信機器の寸法に応じて係合部材を係合させる取付孔を選択することによって、寸法の異なる通信機器を取り付ける場合であっても、容易に通信機器を取り付けることができる。
【００１３】
また、本発明にかかる通信用キャビネット装置は、前記筐体本体の前面に掲示板が設けられていることが好ましい。
この発明にかかる通信用キャビネット装置によれば、筐体本体の前面に掲示板を設けることによって筐体本体を設置したスペースを有効活用することができる。
【００１４】
また、本発明にかかる通信用キャビネット装置は、前記掲示板は、前記導入または導出通信線路と連携された表示部を有することが好ましい。
この発明にかかる通信用キャビネット装置によれば、表示部に、導入または導出通信線路から伝送された映像信号を表示させる。
【００１５】
また、本発明にかかる通信用キャビネット装置は、前記掲示板は、無線通信と連携された表示部を有することが好ましい。
この発明にかかる通信用キャビネット装置によれば、表示部に、無線通信によって伝送された映像信号を表示させる。
【００１６】
また、本発明にかかる通信用キャビネット装置は、前記表示部には、防犯用カメラからの映像が表示されることが好ましい。
この発明にかかる通信用キャビネット装置によれば、表示部に、防犯用カメラから伝送された映像信号を表示させる。
【発明の効果】
【００１７】
本発明の通信用キャビネット装置によれば、通信機器取付部によって複数の通信機器を着脱自在に取り付け、線路導入用孔及び線路導出用孔を介して各通信線路を筐体本体内部に設けられた複数の通信機器に接続している。そして、この筐体本体は、設置手段によって鉛直方向の壁面に設置することが可能となっている。これにより、筐体本体を配置するために必要なスペースが、縮小化される。
【発明を実施するための最良の形態】
【００１８】
以下、本発明にかかる通信用キャビネット装置の一実施形態を、図１及び図２を参照しながら説明する。
本実施形態による通信用キャビネット装置１は、例えば、ＶＤＳＬ（Very high-bit-rate Digital Subscriber Line：超高速デジタル加入者線）方式で用いる通信機器を内部に設置する通信用キャビネット装置であって、マンションや集合住宅などの共用部分に設置されるものである。
この通信用キャビネット装置１は、図１から図３に示すように、箱状の筐体２と、筐体２の内部に配置された通信機器部３と、この通信機器部３に電力を供給するタップ４と、筐体２の前面を覆う掲示板５とを備えており、マンションや集合住宅などの共同部分の壁に取り付けられている。
【００１９】
筐体２は、図１及び図２に示すように、前面に開口を有する箱状の部材である筐体本体１１と、この開口を覆う前面パネル（蓋体）１２とを備えており、内部に後述するＶＤＳＬ装置（通信機器）５１を取り付けるための金具であるＶＤＳＬ取付部（通信機器取付部）２６と、後述するＰＴ（Premises Termination、通信機器）５２、ＯＮＵ（Optical Network Unit：光加入者終端装置、通信機器）５３及びメタルケーブル端子盤（通信機器）５４を取り付けるための木板（通信機器取付部）２７とを備えている。
【００２０】
筐体本体１１は、矩形に組み立てられる天板２１、左右の側板２２及び底板２３と、これらの開口を閉塞する裏板２４とによって構成されている。
天板２１には、よろい戸構造を有する通風孔２１Ａが形成されている。そして、この通風孔２１Ａは、筐体２の内部側から図示しないメッシュによって覆われている。
【００２１】
また、左右の側板２２には、上部によろい戸構造を有する通風孔２２Ａが形成され、下部に図示しない光ファイバケーブル（導入通信線路）やメタルケーブル（導入通信線路、導出通信線路）を導入するためのケーブル導入孔（線路導入用孔、線路導出用孔）２２Ｂが形成されている。この通風孔２２Ａは、上述と同様に、筐体２の内側か図示しないメッシュによって覆われている。また、このケーブル導入孔２２Ｂには、ゴムシート２５が張設されており、各ケーブルを導入する際にこのゴムシート２５に切り込みを入れることによって筐体２の内部にケーブルを導入することができるように構成されている。
なお、この両側面の上側には、図示しないファンを取り付けることが可能なとなっている。
【００２２】
そして、裏板２４には、筐体２を壁面に設置する際に固定用に使用する壁面設置穴（設置手段）２４Ａが形成されており、図示しないネジによって取り付けられるＶＤＳＬ取付部２６と、雄ネジ２７Ａによって取り付けられる木板２７と、タップ４とが取り付けられている。
壁面設置穴２４Ａは、４箇所に設けられており、未使用時には図示しないグロメットによって覆われている。
ＶＤＳＬ取付部２６は、図４（ａ）に示すように、断面コ字状の部材であって長手方向の両端にフランジ部３１Ａが形成されたＶＤＳＬ取付コ字状金具（取付板、取付調整機構）３１と、断面Ｌ字状の部材であってフランジ部３１Ａに取り付けられるＶＤＳＬ取付Ｌ字状金具（固定板）３２とを備えている。
【００２３】
ＶＤＳＬ取付コ字状金具３１のフランジ部３１Ａには、図４（ｂ）に示すように、ＶＤＳＬ取付Ｌ字状金具３２に取り付けられるＶＤＳＬ装置５１の厚みに応じた位置に、図４（ｃ）に示すような係合部材３３及び雌ネジ部材３４によって構成されたケージナット（雌ネジ部材）３５を取り付け可能なケージナット取付穴３１Ｂが複数形成されている。そして、このケージナット取付穴３１Ｂにケージナット３５を取り付けて雄ネジ部材３４Ａと螺合することによってフランジ部３１ＡにＶＤＳＬ取付Ｌ字状金具３２を取り付けている。このように、ケージナット３５を用いてＶＤＳＬ取付コ字状金具３１とＶＤＳＬ取付Ｌ字状金具３２とを取り付けることによって、フランジ部３１Ａに雄ネジ部材３４Ａを螺合させるためのネジ穴を形成する必要がなく、これによりフランジ部３１Ａを薄くすることができる。
【００２４】
また、底板２３には、筐体２を床面に設置する際に固定用に使用する床面設置穴（設置手段）２３Ａと、ケーブル導入孔（線路導入用孔、線路導出用孔）２３Ｂがと形成されている。床面設置穴２３Ａは、４箇所に設けられており、上述と同様に、未使用時には図示しないグロメットによって覆われている。また、ケーブル導入孔２３Ｂは、上述と同様に、ゴムシート３６によって覆われている。
【００２５】
前面パネル１２は、図５に示すように、板状の部材であって、よろい戸構造を有する通風孔１２Ａが形成されている。この通風孔１２Ａは、上述と同様に、前面パネル１２の裏面側から図示しないメッシュによって覆われている。
また、前面パネル１２の下側の縁部には、筐体本体１１の開口の縁部に形成された断面Ｌ字状の耳部１１Ａに設けられた図示しないスリットと係合するガイドピン１２Ｂが形成されている。そして、両側縁の上部には、鍵穴１２Ｃが設けられており、この鍵穴１２Ｃに図示しない鍵を差し込んで旋回させることにより前面パネル１２の両側縁からロック板片１２Ｄが突出するように構成されている。鍵を旋回してこのロック板片１２Ｄを突出させることで、耳部１１Ａに形成された図示しないロック用スリットに係止するように構成されている。
以上より、ガイドピン１２Ｂ及びロック板片１２Ｄが耳部１１Ａにそれぞれ形成されたスリットと掛止することにより、前面パネル１２が筐体本体１１に取り付けられる。
【００２６】
筐体２の前面の上下両側縁には、図６に示すように、掲示板５を取り付ける上部掲示板取付部３７及び下部掲示板取付部３８がそれぞれ設けられている。
上部掲示板取付部３７は、図６（ａ）に示すように、断面ほぼＷ字状の上部金具４１と、後述する掲示板５の引掛け金具６１をこの引掛け金具６１に形成された取付穴６１Ａに引っ掛けるための掲示板引掛けネジ４２とを備えている。そして、この上部金具４１は、上部金具４１に設けられた貫通孔である取付穴４１Ａを介して雄ネジ４４により天板２１に取り付けられている。
【００２７】
下部掲示板取付部３８は、図６（ｂ）に示すように、断面ほぼコ字状の下部金具４５と、この下部金具４５に取り付けられて下部金具４５と共に掲示板５を挟持する断面ほぼＬ字状のスライド金具４６とを備えており、下部金具４５に設けられた貫通孔である取付穴４５Ａを介して雄ネジ４７を底板２３に取り付けられている。
下部金具４５は、一端に長手方向にわたってフランジ部４５Ｂが形成されており、後述する掲示板５の耳部５Ａに引っ掛かるように構成されている。
スライド金具４６は、一端に長手方向にわたって形成されたフランジ部４６Ａと下部金具４５とで掲示板５を挟持するように構成されており、短手方向に形成された長穴の貫通孔であるスライド孔４６Ｂを介して雄ネジ４８Ａ及び雌ネジ４８Ｂを螺合させることによって下部金具４５に取り付けられている。なお、スライド金具４６は、雄ネジ４８Ａを緩めることにより、図６（ｂ）の二点鎖線に示すように、前後にスライド可能となっている。
【００２８】
タップ４は、裏面にマグネットが設けられており、裏板２４に取り付けられている。
そして、通信機器部３は、図３に示すように、ＶＤＳＬ装置５１と、ＰＴ５２と、ＯＮＵ５３と、メタルケーブル端子盤５４とを備えている。
ＶＤＳＬ装置５１は、マンションや集合住宅に予め設けられている電話回線用のメタル屋内配線やＬＡＮ（Local Area Network）用のメタルケーブル配線を用いてＬＡＮを構築する装置である。そして、ＶＤＳＬ装置５１は、ＯＮＵ５３との間で信号を送受信するように構成されている。
また、このＶＤＳＬ装置５１の上下両側面には、ＶＤＳＬ取付Ｌ字状金具３２がそれぞれ取り付けられており、これを備えたＶＤＳＬ取付部２６によって、底板２４の内面に沿うように取り付けられている。
【００２９】
ＰＴ５２は、電話局内に配置された図示しないＯＬＴ（Optical Line Terminal：光伝送路終端装置）を経由する光ファイバケーブルをマンションや集合住宅の内部に配設された集合住宅側の光ファイバケーブルに接続する装置であって、この集合住宅側の光ファイバケーブルを介してＯＮＵ５３に接続されている。そして、このＰＴ５２は、図示しない木ネジによって木板２７に取り付けられている。
【００３０】
ＯＮＵ５３は、光ファイバケーブルを介してＰＴ５２に接続されると共に、メタルケーブルを介してＶＤＳＬ装置５１に接続されている。そして、ＯＮＵ５３は、ＰＴ５２から光ファイバケーブルを介して伝送された光信号を電気信号に変換してＶＤＳＬ装置５１に伝送し、ＶＤＳＬ装置５１から伝送された電気信号を光信号に変換してＰＴ５２に伝送するように構成されている。そして、このＯＮＵ５３は、上述したＰＴ５２と同様に、図示しない木ネジによって木板２７に取り付けられている。
【００３１】
メタルケーブル端子盤５４は、電話局内に配置された電話交換機からメタルケーブルによって、図示しないＭＤＦ（Main Distributing Frame：本配線盤）を経由して接続されている。そして、このメタルケーブル端子盤５４は、メタルケーブルを介してＶＤＳＬ装置５１に接続されている。また、このメタルケーブル端子盤５４は、上述したＰＴ５２及びＯＮＵ５３と同様に、図示しない木ネジによって木板２７に取り付けられている。
【００３２】
このようにＶＤＳＬ装置５１、ＰＴ５２、ＯＮＵ５３及びメタルケーブル端子盤５４が配置されることによって、筐体２の下から吸気し、上から排気するようなエアーフローとなるように構成されている。
なお、本実施形態では、通信機器部３が、ＶＤＳＬ装置５１、ＰＴ５２、ＯＮＵ５３及びメタルケーブル端子盤５４をそれぞれ１つずつ備えていたが、加入者の回線数に応じて複数備えることも可能である。
【００３３】
掲示板５は、表面にピンを用いて紙などを掲示することが可能な板状の部材であって、図６及び図７に示すように、裏面の周縁には断面がＬ字状の耳部５Ａが設けられている。そして、裏面の上部の２箇所には、掲示板取付金具３７に引っ掛けて止めることが可能な引掛け金具６１が設けられている。
この引掛け金具６１を掲示板取付金具３７に引っ掛け、下部掲示板取付金具３８のスライド金具４６をスライドさせて、このスライド金具４６と下部金具４５とで掲示板５を挟持する。これにより、掲示板５が、筐体２の前面にガタツキなく取り付けられる。
【００３４】
このように構成された通信用キャビネット装置１によれば、扁平なＶＤＳＬ装置５１、ＰＴ５２、ＯＮＵ５３及びメタルケーブル端子盤５４が、それぞれＶＤＳＬ取付部２６、木板２７によって裏板２４の内面に沿って取り付けることで、通信用キャビネット装置１を設置する際の占有面積が縮小化される。これにより、マンションや集合住宅における共同部分において使用されていないデッドスペースに設置することができる。
さらに、筐体２の前面パネル１２の前面に、掲示板５が取り付けられていることによって、通信用キャビネット装置１が設置されたスペースを、有効活用することができる。
【００３５】
また、メタルケーブルや光ファイバケーブルを筐体２の内部に導入するためのケーブル導入孔２２Ｂ、２３Ｂが筐体本体１１の両側面と底面とに設けられているので、各ケーブルの引き回しに応じて導入するケーブル導入孔を選択することができる。そして、これらケーブル導入孔２２Ｂ、２３Ｂがそれぞれゴムシート２５、３６によって覆われていることによって、ケーブル導入孔２２Ｂ、２３Ｂから筐体の内部に水などの液体や虫やゴミなどが侵入することを抑制する。
同様に、通風孔１２Ａ、２１Ａ、２２Ａがよろい戸構造となっていると共に、通風孔１２Ａ、２１Ａ、２２Ａを筐体２の内部側からメッシュで覆うことによって、筐体２の内部に虫やゴミなどが容易に侵入することを抑制する。
【００３６】
また、ＶＤＳＬ装置５１がＶＤＳＬ取付部２６によって筐体２に取り付けられ、ＰＴ５２と、ＯＮＵ５３と、メタルケーブル端子盤５４とが木板２７によって筐体２に取り付けられていることで、筐体２の下から吸気し、上から排気するようなエアーフローとなる。これにより、これら通信機器による発熱による筐体２内部の温度上昇が、効率よく抑えられる。
また、ＶＤＳＬ取付コ字状金具３１のフランジ部３１Ａにケージナット取付穴３１Ｂが複数形成されていることで、寸法の異なるＶＤＳＬ装置５１を取り付ける場合であっても、容易にＶＤＳＬ装置５１を取り付けることができる。
また、前面パネル１２がガイドピン１２Ｂ及びロック板片１２Ｄによって筐体本体１１に取り付けられているので、前面パネル１２を取り外して筐体２内部を観察することができる。これにより、通信用キャビネット装置１を設置するスペースが小さい場合であっても、保守、点検を行うときに容易に取り外しできる。
【００３７】
なお、本発明は上記実施形態に限定されるものではなく、本発明の趣旨を逸脱しない範囲において種々の変更を加えることが可能である。
例えば、上記実施形態において、掲示板５は前面パネル１２を覆うように設けられていたが、前面パネル１２自体が掲示板の機能を有するような構造としてもよい。このようにすることで、部品点数を削減することができる。
また、ＰＴ５２、ＯＮＵ５３及びメタルケーブル端子盤５４が木板２７に取り付けられていたが、筐体２の下面側から吸気して上面側から排気するエアーフローとなるような配置であればよく、ＶＤＳＬ装置５１と同様に、それぞれが金属製の取付金具によって取り付けられてもよい。
【００３８】
また、通信用キャビネット装置１は、マンションや集合住宅の共用部分における壁に設置されたが、床面に設置されてもよい。この場合、水やゴミなどから通信機器部３を保護するため、図８に示すような架台７１の上に載置する。
この架台７１は、床面に固定するための図示しない床面固定穴が設けられており、床面に雄ネジなどで固定されている。また、架台７１の上面には、筐体２を設置するための筐体取付孔７１Ａと、筐体２下面からの通風が行えるように通風孔７１Ｂが設けられており、筐体２が、筐体２の底面に形成された床面設置穴２３Ａを介して雄ネジなどで固定されている。さらに、架台７１の一方の側面には、通風が行えるように通風孔７１Ｃが設けられている。
このようにすることで、通信用キャビネット装置１を、設置箇所の状況に応じて容易に選択することができるよう構成されている。そして、架台７１の一側面にのみ通風孔７１Ｃが設けられていることによって、設置場所に応じて通風孔７１Ｃが設けられた側面を前面側とするか、後面側とするか選択することができ、より設置場所の状況に応じて容易に選択できる。
【００３９】
また、掲示板５には、ピンを用いて紙などが掲示される構造であったが、これに限らず、磁石によって紙などを掲示するような構造であってもよい。
また、筐体２の前面に掲示板５を取り付けたが、これに限らず、液晶表示装置であってもよい。この液晶表示装置に表示させる映像情報は、例えば管理室で選択して表示させるものであったり、筐体２の内部に導入された光ファイバケーブルやメタルケーブルを用いてネットワーク上で選択して表示させるものであったり、無線によって選択して表示させるものであってもよい。また、マンションや集合住宅内に配置された監視カメラによる映像を表示するように構成されてもよい。
【図面の簡単な説明】
【００４０】
【図１】本発明の一実施形態における通信用キャビネット装置を示す斜視図である。
【図２】図１における筐体を示すもので、（ａ）は正面図、（ｂ）は側面図、（ｃ）は上面図である。
【図３】図１における筐体本体を示すもので、（ａ）は正面図、（ｂ）は（ａ）におけるＡ−Ａ断面矢視図である。
【図４】図３におけるＶＤＳＬ取付金具を示すもので、（ａ）は斜視図、（ｂ）はフランジ部の側面図、（ｃ）はケージナットの上面図である。
【図５】図２における前面パネルを示す正面図である。
【図６】図１における掲示板の取り付け状態を示す要部拡大図である。
【図７】図１における掲示板を示す背面図である。
【図８】本発明の一実施形態以外の本発明を適用可能な架台を示すもので、（ａ）は斜視図、（ｂ）は（ａ）とは異なる方向から見た斜視図である。
【符号の説明】
【００４１】
１  通信用キャビネット装置
５  掲示板
１１  筐体本体
１２  前面パネル（蓋体）
１２Ａ、２１Ａ、２２Ａ  通風孔
２１  天板
２２  側板
２２Ｂ、２３Ｂ  ケーブル導入孔（線路導入用孔、線路導出用孔）
２３  底板
２３Ａ  床面設置穴（設置手段）
２４  裏板
２４Ａ  壁面設置穴（設置手段）
２５、３６  ゴムシート
２６  ＶＤＳＬ取付部（通信機器取付部）
２７  木板（通信機器取付部）
３１  ＶＤＳＬ取付コ字状金具（取付板、取付調整機構）
３２  ＶＤＳＬ取付Ｌ字状金具（固定板）
３３  係合部材
３４  雌ネジ部材
３４Ａ  雄ネジ部材
５１  ＶＤＳＬ装置（通信機器）
５２  ＰＴ（通信機器）
５３  ＯＮＵ（通信機器）
５４  メタルケーブル端子盤（通信機器）
【図１】
2006059985.tif 000003
【図２】
2006059985.tif 000004
【図３】
2006059985.tif 000005
【図４】
2006059985.tif 000006
【図５】
2006059985.tif 000007
【図６】
2006059985.tif 000008
【図７】
2006059985.tif 000009
【図８】
2006059985.tif 000010